(57)【要約】【課題】暗証番号情報をいちいち手入力しなくてもよいカード使用装置を提供する。【解決手段】カードのＩＤを読取るカード装着部１０１と、カードの使用時に用いる暗証番号情報を予め記憶しておく記憶部１０３と、カードの使用可否を確認するためにカードのＩＤ及び記憶部１０３に記憶された暗証番号情報を出力させる出力手段１０６、１０５とを備え、この構成により、暗証番号情報をいちいち手入力しなくても、記憶部１０３に記憶された暗証番号情報を用いて、カードが正しいカードであるかどうかを認証する。【選択図】  図１
2004348320.tif 000002
【特許請求の範囲】
【請求項１】
カードを識別する記号であるカードのＩＤを読取るカードＩＤ読取手段と、カードの使用時に用いる暗証番号情報を予め記憶しておく記憶手段と、前記カードの使用可否を確認するために前記カードのＩＤ及び前記記憶手段に記憶された暗証番号情報をそれぞれ出力させる出力手段とを備えたことを特徴とするカード使用装置。
【請求項２】
前記暗証番号情報が前記カードのＩＤに関連付けられて記憶されていることを特徴とする請求項１記載のカード使用装置。
【請求項３】
読取られたカードのＩＤに関連する暗証番号情報が前記記憶手段に記憶されているかどうかを確認する確認手段を更に備えたことを特徴とする請求項２記載のカード使用装置。
【請求項４】
前記確認手段によって前記読取られたカードのＩＤに関連する暗証番号情報が前記記憶手段に記憶されていると確認されたとき、前記カードのＩＤを前記カードで決済を行う店舗システムに送信する送信手段を更に備えたことを特徴とする請求項３記載のカード使用装置。
【請求項５】
前記出力手段に、前記カードのＩＤ及び前記記憶手段に記憶された暗証番号情報をそれぞれ店舗システムに送信する送信手段を含み、前記カードの使用可否が前記店舗システム側で確認されることを特徴とする請求項１記載のカード使用装置。
【請求項６】
前記送信手段が店舗システムと無線通信可能な無線通信手段であることを特徴とする請求項４又は請求項５記載のカード使用装置。
【請求項７】
前記暗証番号情報を任意に書換え可能な更新手段を備えた請求項１乃至請求項６のいずれか１項記載のカード使用装置。
【発明の詳細な説明】
【０００１】
【発明の属する技術分野】
本発明は、ＩＣカードやメモリカードなどのカードを利用する際に使用するカード使用装置に関する。
【０００２】
【従来の技術】
従来、ＩＣカード、メモリーカードなどは、銀行のキャッシュカード、クレジットカード、その他のカードとして広く使用されている。
【０００３】
そして、決済などを伴うカードの場合には、カードに記憶された情報からそのカードの所有者を特定し、その所有者の銀行口座などから代金などを引き落とすといった決済の方法が採用されている。このことから、カードが不正に他人に使用され、損害を生じないようにするために、カードの使用に際しは、予め別に登録してある暗証番号情報を入力したり、伝票に本人のサインをしたりしなければ、決済を行わないようにするといった安全策が講じられている。
【０００４】
しかしながら、暗証番号情報を入力する方法では、カードを使用する所で暗証番号情報を入力しなければならないため、買い物などをする際のクレジットカードなどでは殆ど使用されておらず、専ら、銀行などのキャッシュカードで使用されているのが現状である。
【０００５】
すなわち、買い物などをする際のクレジットカードでは、別に伝票を発行し、そこにサインをするといった方法を採用しており、この場合には、買い物毎にサインをしなければならず、その手間が大変であるばかりでなく、他人が本人に似たサインを不正に行った場合でも、それを見破るのが困難であるという問題があった。
【０００６】
一方、こうしたカードの使用装置として、車などに搭載され、車の中から無線で店舗システムや路上装置などと通信を行い、使用できるように構成したものも公知である（例えば、特許文献１、２参照）。
【０００７】
すなわち、特許文献１に記載されたものは、カードを車載機に装着すれば、車載機がカードに記憶された認証情報を読取って、コンテンツスタンド（店舗システム）との間で認証を行い、その状態でコンテンツスタンド（店舗システム）との間で通信が可能になり、ガソリンやその他の商品を車の中に居ながらにして購入し、そのままカードを用いて決済できるというものである。
【０００８】
また、特許文献２に記載されたものは、カードを車載機に装着し、暗証番号情報を正しく入力することによって、路上装置との間で通信が可能になり、高速道路などの料金を自動的に車載機に装着したカードを用いて決済できるというものである。
【０００９】
【特許文献１】
特開２００１−２４５３４１号公報（第１頁、第１図）
【特許文献２】
特許第２５３４２３５号公報（第１頁、第１図）
【００１０】
【発明が解決しようとする課題】
しかしながら、特許文献１に記載されたものでは、カードに記憶された認証情報のみでコンテンツスタンドとの認証を行っており、カードが何らかの原因で他人に渡り不正に使用されても、そのまま使用可能であるという問題があり、また、特許文献２に記載されたものでは、カードの使用に際していちいち暗証番号情報を手入力しなければならないという問題があった。
【００１１】
本発明は、以上のような従来の問題点に鑑みてなされたものであり、暗証番号情報をいちいち手入力しなくても、自動的に暗証番号情報を用いて認証を行えるカード使用装置を提供するものである。
【００１２】
【課題を解決するための手段】
本発明のカード使用装置は、カードを識別する記号であるカードのＩＤを読取るカードＩＤ読取手段と、カード使用時に用いる暗証番号情報を予め記憶しておく記憶手段と、カードの使用可否を確認するためにカードのＩＤ及び記憶手段に記憶された暗証番号情報をそれぞれ出力させる出力手段とを備えた構成を有している。
【００１３】
この構成により、暗証番号情報をいちいち手入力しなくても、記憶手段に記憶された暗証番号情報を用いて、カードＩＤ読取手段によってＩＤが読取られたカードを用いる人が正規かどうかを正確に認証することができる。
【００１４】
また、本発明のカード使用装置は、暗証番号情報がカードのＩＤに関連付けられて記憶された構成を有している。
【００１５】
この構成により、暗証番号情報を記憶装置に複数記憶することが可能であり、複数の異なる暗証番号情報のカードでも任意に使用することができる。
【００１６】
また、本発明のカード使用装置は、読取られたカードのＩＤに関連する暗証番号情報が記憶装置に記憶されているかどうかを確認する確認手段を更に備えた構成を有している。
【００１７】
この構成により、使用されたカードが本装置に適合するものであるかどうかを本装置内で確認することができる。
【００１８】
また、本発明のカード使用装置は、確認手段によって、読取られたカードのＩＤに関連する暗証番号情報が記憶装置に記憶されていると確認されたとき、カードのＩＤをカードで決済を行う店舗システムに送信する送信手段を更に備えた構成を有している。
【００１９】
この構成により、使用されたカードが本装置に適合するものと確認されたときのみ、カードのＩＤが店舗システムに送信され、カードのＩＤに基づいて買い物、決済などを行うことができるようになる。
【００２０】
また、本発明のカード使用装置は、出力手段に、カードのＩＤ及び記憶手段に記憶された暗証番号情報をそれぞれ店舗システムに送信する送信手段を含み、カードの使用可否を店舗システム側で確認する構成を有している。
【００２１】
この構成により、カードのＩＤ及び暗証番号情報が共に店舗システム側で認証されることになり、より不正を少なくすることができる。
【００２２】
また、本発明のカード使用装置は、送信手段が店舗システムと無線通信可能な無線通信手段である構成を有している。
【００２３】
この構成により、店舗システムと離れた位置でも使用可能であり、例えば、車などに搭載した場合には、車内に居ながらにして買い物、決済などを行うことができるという作用を有する。
【００２４】
また、本発明のカード使用装置は、暗証番号情報を任意に書換え可能な更新手段を備えた構成を有している。
【００２５】
この構成により、使用するカードやカード使用装置を任意に変更しても、それらのカードに合わせて登録された暗証番号情報をカード使用装置の記憶部にそれぞれ任意に書換え使用することができるという作用を有する。
【００２６】
【発明の実施の形態】
以下、本発明の実施の形態におけるカード使用装置について図面を用いて説明する。
【００２７】
（第１の実施の形態）
図１は、本発明の第１の実施の形態におけるカード使用装置の概略構成図である。
【００２８】
図１に示すように、本発明の第１の実施の形態におけるカード使用装置１００は、ＩＣカード、メモリーカードなどのカードを着脱自在に装着するカード装着部１０１と、各種情報や指令を入力する入力部１０２と、暗証番号情報を記憶する記憶部１０３と、入力部１０２によって入力された情報や指令、その他の情報を表示する表示部１０４と、店舗システム２００との間で通信を行う無線通信部１０５と、これらを制御し、さらに暗証番号情報を更新する更新手段を有する制御部１０６とを備えている。
【００２９】
なお、カードには、カードそのもの、或いは、カードの所有者などを特定するＩＤが記憶されており、カードをカード装着部１０１に装着すれば、その状態で、カード装着部１０１が上記ＩＤを読取って制御部１０８に供給したり、制御部１０８からの情報をカードに記憶したりすることが可能なように構成されている。
【００３０】
次に、本実施の形態におけるカード使用装置について、その動作を説明する。
【００３１】
まず、使用しようとするカードについて、そのカードを作成する際にそのカードの発行元に登録した暗証番号情報を、入力部１０２を用いて記憶部１０３に記憶する。
【００３２】
入力部１０２を用いて予め定めた暗証番号情報入力用の操作を行うと、制御部１０６がこれを検知し、表示部１０４に「暗証番号情報を入力してください。」というようなガイダンスを表示する。ガイダンスにしたがって暗証番号情報を入力すると、入力した暗証番号情報が表示部１０４に表示され、その暗証番号情報でよいかどうかの確認表示が行われる。
【００３３】
ここで、その暗証番号情報でよい旨の入力を行うと、その暗証番号情報が記憶部１０３に記憶され、表示部１０４からはその暗証番号情報の表示が消える。
【００３４】
そして、一旦、暗証番号情報が記憶部１０３に記憶されると、以降、その暗証番号情報は、一切表示部１０４に表示されない。すなわち、暗証番号情報を更新する場合には、入力部１０２によって先と同様の操作を行えば、新たに入力した暗証番号情報が記憶部１０３に記憶され、これまで記憶されていた暗証番号情報が消去されるようになっている。
【００３５】
しかし、この場合でもこれまで記憶されていた暗証番号情報は一切表示部１０３に表示されないように構成されている。
【００３６】
次に、カードを用いて買い物をしたり、決済をしたりする場合の動作について、図２を用いて説明する。図２は、本発明の第１の実施の形態におけるカード使用装置の動作を示すフローチャートである。
【００３７】
カードを用いて買い物をしたり、決済をしたりする場合には、まず、カードをカード装着部１０１に装着し、その状態で、入力部１０２を用いて、予め定めた所定の操作を行う（Ｓ２０１）。このようにすると、カードに記憶されたカードのＩＤがカード装着部１０１によって読み出され（Ｓ２０２）、制御部１０６に供給される。
【００３８】
そして、記憶部１０３に記憶された暗証番号情報も制御部１０８によって読み出され（Ｓ２０３）、制御部１０８に供給される。これらのＩＤ及び暗証番号情報は、それぞれ制御部１０６から無線通信部１０５を介して店舗システム２００に送信される（Ｓ２０４）。
【００３９】
店舗システム２００にカードのＩＤ、暗証番号情報が送信されると、それらのＩＤ、暗証番号情報が店舗システム２００で受信され（Ｓ２０５）、それらのＩＤ、暗証番号情報に基づいて、店舗システム２００側で、カード装着部１０１に装着されたカードが予め登録された使用可能な正規のものであり、かつ、そのカードで使用される暗証番号情報が正しいものであるかどうかの認証を行う（Ｓ２０６）。そして、その結果をカード使用装置１００に送信する（Ｓ２０７）。
【００４０】
カード使用装置１００が無線通信部１０５を介して店舗システム２００からの認証結果を受信すると、その結果が制御部１０４の制御の基で表示部１０４に表示される（Ｓ２０８）。そして、認証結果が使用可能な正規のカードであって、かつ正規の暗証番号情報であると言うことであれば（Ｓ２０９のＹ）、カード使用装置１００を用いて店舗システム２００と通信を行い、買い物などをしたり、決済をしたりすることが可能な状態になる（Ｓ２１０）。
【００４１】
すなわち、入力部１０２を用いて、商品名、数量などを指定し、所定の操作を行うと、商品名、数量などの情報がそれぞれ無線通信部１０５を介して店舗システム２００に送信される。したがって、店舗側では、店舗システム２００で受信された商品名、数量などの情報に基づいて、それらの商品を販売することができる。
【００４２】
そして、店舗システム２００から最終的に商品価格などの決済データが送信されてくると、それが表示部１０４に表示され、その状態で入力部１０２を用いて確認の操作をすると、その確認の情報が無線通信部１０５を介して店舗システム２００に送信され、店舗システム２００では、先に受信されたカードのＩＤを基にそのカードの所有者の予め登録された銀行口座などから商品価格を引き落とすなどの決済処理を行う。
【００４３】
店舗システム２００からの認証結果が、不正（ＮＧ）であると言うことであれば（Ｓ２０９のＮ）、買い物をしたり、決済をしたりすることができない状態になる（Ｓ２１１）。
【００４４】
このように、本実施の形態によれば、暗証番号情報が記憶部１０３に予め記憶されており、カード使用時にその暗証番号情報が記憶部１０３より読み出され使用されるため、カード使用時にいちいち暗証番号情報を手入力する必要がなく、その操作が比較的簡単になるという効果を有する。
【００４５】
そして、仮に、カードが不正に他人渡っても、そのカードを使用するためには、そのカードの暗証番号情報が必要であり、カード使用装置１００を用いる場合でも、そのカードの暗証番号情報が記憶されたカード使用装置１００でなければ使用することができず、したがって、カード使用装置と共にカードが不正に他人に渡らない限り、不正に使用されないという効果を有する。
【００４６】
また、本実施の形態によれば、カードのＩＤ、暗証番号情報が共に店舗システム２００側に送信され、店舗システム２００側でそのカードのＩＤ、暗証番号情報が認証されるため、これまでのキャッシュカードと同じように、カード発行時にカード発行元に登録した暗証番号情報を記憶部１０３に記憶するだけで、そのカードが正しく使用されているかどうかを正確に確認することができる。
【００４７】
また、本実施の形態によれば、無線通信部１０５を用いて、店舗システム２００との間の情報のやり取りを行っており、したがって、店舗システム２００より任意に離れた位置からでも買い物をしたり、決済をしたりすることができ、例えば、車などに搭載してガソリンやその買い物をする装置として利用した場合には、車から降りることなくこれらの買い物をしたり、決済をしたりすることができるという作用を有する。
【００４８】
尚、本実施の形態では、カードのＩＤ及び暗証番号情報をそれぞれ順に読取り、それらを纏めて同時に店舗システム２００に送信するようにしているが、これらは別々に読取り、別々に送信して別々に認証するようにしても良い。すなわち、カードのＩＤを先ず読取ってそれを店舗システム２００に送信する。
【００４９】
そして、店舗システム２００で、受信されたＩＤの認証を行い、その結果をカード使用装置１００に返送する。ＩＤの認証の結果がＮＧであれば、その時点で買い物、決済などが不可能な状態にし、認証の結果がＯＫであれば、そのときのみ、次に暗証番号情報を読み出すようにする。
【００５０】
そして、読み出した暗証番号情報を店舗システム２００に送信し、店舗システム２００側で、暗証番号情報の認証を行い、その結果をカード使用装置１００に返送する。暗証番号情報の認証の結果がＮＧであれば、その時点で買い物、決済などが不可能な状態にし、認証結果がＯＫであれば、買い物、決済などが可能な状態にする。
【００５１】
このように、ＩＤ、暗証番号情報を別々に送信し、別々に認証するようにしても良い。そして、ＩＤ、暗証番号情報の送信順は、ＩＤ、暗証番号情報の順のみならず、暗証番号情報、ＩＤの順であっても良い。
【００５２】
このように、ＩＤ、暗証番号情報を別々に送信し、別々に認証した場合には、先に送信したＩＤ又は暗証番号情報のいずれかで認証結果がＮＧであった場合、次の暗証番号情報又はＩＤをそれぞれ読取ったり、送信したりする必要がなく、他人に不正に読取られるのをより少なくすることができるという作用を有する。
【００５３】
（第２の実施の形態）
第１の実施の形態では、記憶部１０３に単純に使用するカードの暗証番号情報を記憶しただけであるが、本実施の形態では、使用するカードに関連してそれぞれ異なる暗証番号情報を記憶部１０３に記憶するようにしている。したがって、本実施の形態では、暗証番号情報の異なる複数のカードでもそれぞれ適正に使用することができる。
【００５４】
さらに、制御部１０６は、読み取られたカードのＩＤに関連する暗証番号情報が記憶部１０３に記憶されているかどうかを確認する確認手段を有している。
【００５５】
本実施の形態において、まず、記憶部１０３に複数の暗証番号情報を記憶する場合の動作について説明する。
【００５６】
複数の暗証番号情報を記憶する場合には、それぞれの暗証番号情報がどのカードの暗証番号情報であるかを明確に特定することが必要である。したがって、それぞれの暗証番号情報は、それぞれのカードに完全に関連付けられていることが必要である。そのため、例えば、次のようにして記憶部１０３に記憶するように構成されている。
【００５７】
すなわち、先ず、入力部１０２を用いて予め定めた暗証番号情報入力用の操作を行うと、それが制御部１０６で検知され、表示部１０４に、例えば「カード装着部にカードを装着して下さい。」というようなガイダンスが表示される。このガイダンスにしたがってカード装着部１０１にカードを装着すると、その状態で、表示部１０４に、例えば「暗証番号情報を入力して下さい。」というようなガイダンスが表示される。
【００５８】
したがって、ここで、入力部１０２を用いて暗証番号情報を入力する。暗証番号情報を入力すると、入力された暗証番号情報が、カード装着部１０１で読取られたカードのＩＤに関連付けられて、カードのＩＤ、或いは、それに関連する情報と共に記憶部１０３に記憶される
。
【００５９】
例えば、カードのＩＤ、或いは、それに関連する情報が「１２３１２３」、入力部１０２から入力された暗証番号情報が「９８７６」であったとすると、これらが相互に関連付けられて、記憶部１０３には、「１２３１２３―９８７６」のような情報が記憶される。そして、このような操作を、使用したい複数のカードについてそれぞれ実施すれば、それらのカードに対し、それぞれの暗証番号情報がそれぞれのカードのＩＤと関連付けられて記憶部１０３に記憶される。
【００６０】
尚、暗証番号情報は、一旦記憶部１０３に記憶されると、以降、如何なる場合も、一切表示部１０４に表示されないように構成している。
【００６１】
次に、このように構成されたカード使用装置を用いて、買い物をしたり、決済をしたりする場合の動作を、図３を用いて詳細に説明する。図３は、本発明の第２の実施の形態におけるカード使用装置の動作を示すフローチャートである。
【００６２】
カード装着部１０１にカードを装着し、入力部１０３を用いて買い物をしたり、決済をしたりするための所定の操作をすると（Ｓ３０１）、カード装着部１０１に装着されたカードのＩＤがカード装着部１０１によって読取られ（Ｓ３０２）、制御部１０６の制御の基で、このＩＤに関連する暗証番号情報が記憶部１０３に記憶されているかどうかの検索が行われる（Ｓ３０３）。
【００６３】
検索の結果、関連する暗証番号情報が記憶されていなければ、その時点で買い物、決済などができない状態になり（Ｓ３１１）、関連する暗証番号情報が記憶されている場合にのみ、その確認された暗証番号情報が記憶部１０３より読み出され、読み出された暗証番号情報がカード装着部１０１に装着されたカードのＩＤと共に、無線通信部１０５を介して店舗システム２００側に送信される（Ｓ３０４）。
【００６４】
店舗システム２００にカードのＩＤ、暗証番号情報が送信されると、それらのＩＤ、暗証番号情報が店舗システム２００で受信され（Ｓ３０５）、それらのＩＤ、暗証番号情報に基づいて、店舗システム２００側で、カード装着部１０１に装着されたカードが予め登録された使用可能な正規のものであり、かつ、そのカードで使用される暗証番号情報が正しいものであるかどうかの認証を行う（Ｓ３０６）。そして、その結果をカード使用装置１００に送信する（Ｓ３０７）。
【００６５】
カード使用装置１００が無線通信部１０５を介して店舗システム２００からの認証結果を受信すると、その結果が制御部１０４の制御の基で表示部１０４に表示される（Ｓ３０８）。そして、認証結果が使用可能な正規のカードであって、かつ正規の暗証番号情報であると言うことであれば（Ｓ３０９のＹ）、カード使用装置１００を用いて店舗システム２００と通信を行い、買い物などをしたり、決済をしたりすることが可能な状態になる（Ｓ３１０）。
【００６６】
そして、店舗システム２００からの認証結果が、不正であると言うことであれば（Ｓ３０９のＮ）、買い物をしたり、決済をしたりすることができない状態になる（Ｓ３１１）。
【００６７】
このように、本実施の形態によれば、使用するカードに関連付けてそれぞれの暗証番号情報を複数、記憶部１０３に記憶できるように構成しており、一人でも複数のカードを持ち、それらの暗証番号情報がそれぞれ異なる場合、或いは、家族などでそれぞれの者がそれぞれ個別にカードを持ち、暗証番号情報が異なる場合などでも、１つのカード使用装置で充分に使用することができるという利点を有する。
【００６８】
尚、本実施の形態でも、カードのＩＤと暗証番号情報とを纏めて店舗システム２００に送信するようにしているが、これらは、第１の実施の形態で説明したように、それぞれ別々に送信し、別々に認証するようにしても良い。
【００６９】
（第３の実施の形態）
第１、第２の実施の形態では、カードのＩＤ及び暗証番号情報を共に店舗システム２００側に送信し、店舗システム２００側でカードのＩＤ及び暗証番号情報を認証するようにしているが、本実施の形態では、暗証番号情報カードのＩＤのみを送信するようにしている。すなわち、本実施の形態では、店舗システム２００側であえて暗証番号情報を必要としないクレジットカード、メンバーズカードなどのようなカードでも、他人に不正に使用されるのを極力少なくすることができるようにすることができる。
【００７０】
以下、本実施の形態について、図４を用いて詳細に説明する。図４は、本発明の第３の実施の形態におけるカード使用装置の動作を示すフローチャートである。
【００７１】
本実施の形態でも、第２の実施の形態と同様、記憶部１０３にカードのＩＤに関連付けて暗証番号情報を記憶する。その場合の動作は、第２の実施の形態と同様である。そして、買い物をしたり、決済をしたりする場合には、次に示すように動作する。
【００７２】
カード装着部１０１にカードを装着し、入力部１０３を用いて買い物をしたり、決済をしたりするための所定の操作をすると（Ｓ４０１）、カード装着部１０１に装着されたカードのＩＤがカード装着部１０１によって読取られ（Ｓ４０２）、制御部１０６の制御の基で、このＩＤに関連する暗証番号情報が記憶部１０３に記憶されているかどうかの確認が行われる（Ｓ４０３）。
【００７３】
確認の結果、関連する暗証番号情報が記憶されていれば、カードのＩＤが、無線通信部１０５を介して店舗システム２００側に送信される（Ｓ４０４）。
【００７４】
送信されたカードのＩＤは、店舗システム２００側で受信され（Ｓ４０５）、そのカードのＩＤに基づいてそのカードの正当性が認証される（Ｓ４０６）。そして、その結果がカード使用装置１００に送信される（Ｓ４０７）。
【００７５】
カード使用装置１００が店舗システム２００からの認証結果を受信すると、その結果が制御部１０４の制御の基で表示部１０４に表示される（Ｓ４０８）。そして、認証結果が正当なカードであれば（Ｓ４０９のＹ）、カード使用装置１００を用いて店舗システム２００と通信を行い、買い物などをしたり、決済をしたりすることが可能な状態になる（Ｓ４１０）。
【００７６】
ステップＳ４０３において、確認の結果、関連する暗証番号情報が記憶されていなかった場合には、カード装着部１０１に装着されたカードが適正なものでないとして、その旨を表示部１０４に表示し、そのカードでは、買い物、決済などが行えないように動作する。
【００７７】
又、同様に、店舗システム２００側での認証結果が不正であった場合（Ｓ４０９のＮ）も、カード装着部１０１に装着されたカードが適正なものでないとして、その旨を表示部１０４に表示し、そのカードでは、買い物、決済などが行えないように動作する。
【００７８】
このように、第３の実施の形態では、暗証番号情報店舗システム２００において暗証番号情報を必要としない場合に有効に利用できる。
【００７９】
以上、いずれの実施の形態でも、カードとカード使用装置が対になって初めて使用可能になるものであり、カードを紛失し、そのカードを他人が持っていたとしても、そのカードに関連する暗証番号情報が記憶されたカード使用装置がなければ、そのカードを使用することができず、他人が不正に使用するのを容易に防止することができる。
【００８０】
尚、実施の形態では、カード装着部１０１にカードを装着し、その状態で所定の操作を行ったとき、カードよりカードのＩＤ、その他の情報が読取られるように構成しているが、予め所定の動作状態にし、その状態でカード装着部１０１にカードを装着すれば、カードよりカードのＩＤ、その他の情報が読取られるようにしても良い。
【００８１】
また、実施の形態では、カード装着部１０１を用いてカードのＩＤを読取るようにしているが、カードのＩＤを読取る場合には、カード装着部１０１に限らず、カードをスライドさせることによりカードに記憶されたＩＤ、その他の情報を読取る読取装置、非接触の読取装置、カードの外面などに記載されたカードを特定する文字、記号（これらもＩＤと言える）などを読取る読取り装置、その他のあらゆる読取装置であってもよい。
【００８２】
また、実施の形態において、カード使用装置１００を車などに搭載して使用する場合には、車のキーが正常に使用されているときのみ使用可能なようにすることが望ましい。このように構成すれば、車を正常に使用できる者のみが自己のカードを使用できるようにすることができ、より他人の不正使用を防止することができる。
【００８３】
また、実施の形態では、ＩＤ、暗証番号情報などをそのまま送信したり、受信したりするようにしているが、これらの情報は、機密を保持するため、暗号化して送信、受信することが望ましい。
【００８４】
【発明の効果】
以上、本発明のカード使用装置によれば、カード使用時に用いる暗証番号情報を予め記憶手段に記憶しておき、カードの使用時にこの記憶手段より読み出して使用するようにしており、カードの使用時に、いちいち暗証番号情報を手入力しなくてもよいという利点を有する。
【図面の簡単な説明】
【図１】本発明の実施の形態におけるカード使用装置の概略構成図
【図２】本発明の第１の実施の形態におけるカード使用装置の動作を示すフローチャート
【図３】本発明の第２の実施の形態におけるカード使用装置の動作を示すフローチャート
【図４】本発明の第３の実施の形態におけるカード使用装置の動作を示すフローチャート
【符号の説明】
１００  カード使用装置
１０１  カード装着部
１０２  入力部
１０３  記憶部
１０４  表示部
１０５  無線通信部
１０６  制御部
２００  店舗システム
【図１】
2004348320.tif 000003
【図２】
2004348320.tif 000004
【図３】
2004348320.tif 000005
【図４】
2004348320.tif 000006